(57)【特許請求の範囲】
【請求項１】
電子機器の筐体内部にスピーカを取り付けて前記筐体をエンクロージャとして動作させるスピーカ取り付け構造において、
前記スピーカを覆うように配置されて前記筐体内部で前記スピーカの後面から放出される音響振動による逆相音を遮蔽する遮音部と、前記遮音部からダクト状に延在して前記逆相音を前記筐体の外部に放出するダクト部とを有した遮音キャップを備え、この遮音キャップのダクト部を介して前記逆相音を放出することで前記ダクト部が共鳴管効果により低音域の増強を行えて片側開放型の共鳴管として動作するとともに、ダクト長は特定の周波数に共鳴する長さに設定され、且つ、前記電子機器は、携帯電話機またはＰＨＳ電話機などの移動体通信端末であり前記筐体の一端から出し入れ可能なアンテナを有し、このアンテナを前記筐体内で延在する前記遮音キャップのダクト部内に収納するように設けたことを特徴とするスピーカ取り付け構造。
【請求項２】
請求項１に記載のスピーカ取り付け構造において、
前記電子機器は、携帯電話機またはＰＨＳ電話機などの移動体通信端末であり、前記遮音キャップのダクト部を前記筐体の内部に１５ｃｍ〜２０ｃｍ程度の長さで延在させることを特徴とするスピーカ取り付け構造。
【請求項３】
請求項１に記載のスピーカ取り付け構造において、
前記遮音キャップのダクト部は、前記筐体内の回路部品に悪影響を与えないように前記遮音部から前記筐体内の外周に沿って前記筐体の所定端部に設けた放出穴まで延在させて前記逆相音を外部に放出するように設けたことを特徴とするスピーカ取り付け構造。
【請求項４】
請求項１に記載のスピーカ取り付け構造において、
前記筐体には、前記遮音キャップを固定する複数のガイド部を一体に形成していることを特徴とするスピーカ取り付け構造。
【請求項５】
請求項１に記載のスピーカ取り付け構造において、
前記遮音キャップは、前記遮音部とダクト部とをゴムなどの軟質材により一体に形成していることを特徴とするスピーカ取り付け構造。
【請求項６】
請求項１に記載のスピーカ取り付け構造において、
前記遮音部は、前記筐体内の回路部品と前記スピーカとの間に設けられて前記スピーカの後面を遮蔽することで音響振動による回路動作の異常を防止することを特徴とするスピーカ取り付け構造。
【発明の詳細な説明】
【０００１】
【発明の属する技術分野】
本発明は、スピーカ取り付け構造に係り、より詳細には電子機器の筐体内にスピーカを取り付けて筐体をエンクロージャとして動作させるスピーカ取り付け構造に関する。
【０００２】
【従来の技術】
従来、例えば、携帯電話機、ＰＨＳ電話機などの移動体通信端末には、受話音声の拡声及び着信音の好適な発音を目的とした拡声スピーカとして直径１５ｍｍ〜２０ｍｍ程度の振動板を持つダイナミック型スピーカ（以下、スピーカと称す）を用いており、このスピーカを移動体通信端末の筐体背面内側に取り付けて筐体をエンクロージャとして動作させるスピーカ取り付け構造を備えていた。図５は、このような携帯電話機に採用した従来のスピーカ取り付け構造を示す図である。
【０００３】
図５に示すように、携帯電話機に採用した従来のスピーカ取り付け構造は、前述したように携帯電話機の筐体１１を設け、この筐体１１の内側背面にスピーカ２を取り付ける保持リブ１１ａと、スピーカ２の音を放出する拡声穴１１ｄとを形成し、この保持リブ１１ａにスピーカ２を取り付けた構造を備えている。これによりスピーカ２から放出された音は、筐体１１の拡声穴１１ｄを介して外部に放出され、所定の音声及び着信音として再生していた。
【０００４】
しかしながら従来のスピーカ取り付け構造では、図５に示したように、スピーカ２から所定の音を放出する際に、スピーカ２の背面からの音響振動により逆相音２ａが発生し、この逆相音２ａは従来、筐体１１内で遮音する以外に音響的な配慮は特にされていなかった。一方、携帯電話機などの筐体１１は、携帯性を重視して小型化が進んでおり、大口径のスピーカを使用することが構造的に困難な場合が多く、前述したせいぜい直径１５ｍｍ〜２０ｍｍ程度の振動板をもつスピーカ２しか取り付けられない。このような大きさのスピーカ２（ダイナミック型スピーカ）を密閉した筐体１１内に取り付けた場合、広い周波数帯域での発音は難しく、特に低音域の音圧は小さくなってしまう。この場合、最低共振周波数の値は低くても５００Ｈｚ〜６００Ｈｚ程度である。結果、音声および着信音（近年では着信音を音楽性豊かなメロディにしたものが主流になりつつある）の原音に忠実な再生が困難となってしまう。
【０００５】
また、このような従来のスピーカ取り付け構造では、図５に示したように、スピーカ２の後面から放出する音響振動が回路部品４に廻り込む逆相音２ａが考えられる。特に、このような逆相音２ａにより影響を受け易い回路部品４としては、ＲＦ帯域の信号を生成する高周波発振回路があげられる。近年、携帯電話機で使用されているＧＨｚ帯域では、信号生成にあたって極めて精密な発振容量の制御が必要とされるため、微弱な音響エネルギーであっても音響振動によって発生する逆相音２ａの廻り込みにより発振信号の位相ズレが起こり、結果としてスピーカ鳴音時に携帯電話機の無線動作に支障をきたすという不具合があった。
【０００６】
【発明が解決しようとする課題】
このように、従来のスピーカ取り付け構造では、図５に示したように、スピーカ２の背面に放出される音響振動により逆相音２ａが発生するため、特に、高周波発振回路などの回路部品４に発振信号の位相ズレが起こり、スピーカ２の鳴音時に携帯電話機の無線動作に支障をきたすという不具合があった。
また、従来のスピーカ取り付け構造では、大口径のスピーカを使用することが構造的に困難であるため、広い周波数帯域での発音は難しくなり、特に低音域の音圧は小さくなるため、結果、音声および着信音の原音に忠実な再生が困難になるという不具合があった。
本発明はこのような課題を解決し、低音域の発音が向上し、逆相音による回路部品への悪影響を防止することができるスピーカ取り付け構造を提供することを目的とする。
【０００７】
【課題を解決するための手段】
本発明は上述の課題を解決するために、電子機器の筐体内部にスピーカを取り付けて筐体をエンクロージャとして動作させるスピーカ取り付け構造において、スピーカを覆うように配置されて筐体内部でスピーカの後面から放出される音響振動による逆相音を遮蔽する遮音部と、この遮音部からダクト状に延在して逆相音を筐体の外部に放出するダクト部とを有した遮音キャップを備え、この遮音キャップのダクト部を介して前記逆相音を放出することでダクト部が共鳴管効果により低音域の増強を行えて片側開放型の共鳴管として動作するとともに、ダクト長は特定の周波数に共鳴する長さに設定され、且つ、この電子機器は、携帯電話機またはＰＨＳ電話機などの移動体通信端末であり筐体の一端から出し入れ可能なアンテナを有し、このアンテナを筐体内で延在する遮音キャップのダクト部内に収納するように設ける。
【０００８】
ここで、電子機器は、携帯電話機またはＰＨＳ電話機などの移動体通信端末であり、遮音キャップのダクト部を筐体の内部に１５ｃｍ〜２０ｃｍ程度の長さで延在させることが好ましい。また、遮音キャップのダクト部は、筐体内の回路部品に悪影響を与えないように遮音部から筐体内の外周に沿って筐体の所定端部に設けた放出穴まで延在させて逆相音を外部に放出するように設けることが好ましい。また、筐体には、遮音キャップを固定する複数のガイド部を一体に形成することが好ましい。また、遮音キャップは、遮音部とダクト部とをゴムなどの軟質材により一体に形成することが好ましい。また、遮音部は、筐体内の回路部品とスピーカとの間に設けられてスピーカの後面を遮蔽することで音響振動による回路動作の異常を防止することが好ましい。
【０００９】
【発明の実施の形態】
次に、添付図面を参照して本発明によるスピーカ取り付け構造の実施の形態を詳細に説明する。図１は、本発明によるスピーカ取り付け構造の実施の形態を示す図である。また、図２は、図１に示したＡ−Ａ線の断面を示す断面図である。また、図３は、図１に示したスピーカ取り付け構造により筐体１の外部に放射される音の成分を合成した周波数特性を示す特性図である。ここで、図１に示したスピーカ２及び回路部品４は、図５に示したスピーカ及び回路部品と同じものであり、同一構成要素には同じ符号を記載している。
【００１０】
図１及び図２に示すように、本発明によるスピーカの取り付け構造の実施の形態は、図５に示した従来技術と同様に、携帯電話機に採用したものであり、携帯電話機の筐体１を設け、この筐体１の背面内側にスピーカ２を取り付ける保持リブ１ａと、スピーカ２の音を放出する拡声穴１ｄとを形成し、この保持リブ１ａにスピーカ２を取り付けた構造を備えている。また、本発明によるスピーカの取り付け構造の実施の形態は、図５に示した従来技術とは異なり、筐体１の保持リブ１ａに装着したスピーカ２を覆うように配置する遮音部３ｂと、この遮音部３ｂから筐体１内の外周に沿って延在するダクト部３ａとを一体に形成した遮音キャップ３を備えている。
【００１１】
ここで、筐体１には、遮音キャップ３を内部に固定するために複数のガイド部１ｂを一体に形成している。また、筐体１には、下側側面に開口した放出穴１ｃを形成している。
また、遮音キャップ３は、ゴムなどの軟質材から形成されており、前述したようにスピーカ２の後面を覆うように取り付けられる遮音部３ｂと、この遮音部３ｂからダクト状に延在してスピーカ２の後面から放出される逆相音を筐体１の外部に放出するダクト部３ａとを一体に形成している。そして、この遮音キャップ３は、筐体１の保持リブ１ａに装着したスピーカ２の後面に遮音部３ｂを装着した後、ダクト部３ａを筐体１のガイド部１ｂに沿って引っ掛かるように取り付けられている。
【００１２】
また、遮音部３ｂは、図２に示したように、スピーカ２の後面との間に、わずかな空気容積Ｂが存在する。この遮音部３ｂは、直径が約５ｃｍ程度の大きさに形成されて、この側面からほぼ１５ｃｍ〜２０ｃｍ程度の長さに延在するダクト部３ａを備えている。
このダクト部３ａは、図１に示したように、スピーカ２の設置位置から延在し、筐体１内の他の回路部品４を避けるように内部外周に沿って設置され、筐体１に形成したガイドリブ１ｂによって固定されている。そして、ダクト部３ａは、スピーカ２から延在した先端が筐体１の下部に開口した放出穴１ｃまで達するように延在している。
これによりスピーカ２の後面より放出された音響振動は、遮音キャップ３の遮音部３ｂにより遮蔽され、かつダクト部３ａの内部を進み筐体１の放出穴１ｃより外部に放出される。
【００１３】
さらに詳しく説明すると、共鳴波長をλｍ、タクト長をＬｍとすれば、その共鳴周波数ｆｘはｆｘ＝音速／４λと表され、ダクト長を調節することにより共鳴周波数を任意に設定することが出来る。例えば、音速３４０ｍ／ｓｅｃ、ダクト長Ｌを０．２ｍとすれば前述した計算式よりｆ＝４２５Ｈｚとなる。
ここで、図１及び図２に示したスピーカ２の最低共振周波数が６００Ｈｚ、遮音キャップ３に設けたダクト部３ａの長さが０．２ｍの場合、筐体１外部に放射される音の成分を合成した周波数特性は、図３に示すように、スピーカ２からの直接音をＣ、ダクト部３ａからの共鳴音をＤとして表わせることが分かる。
【００１４】
従って、本発明によるスピーカの取り付け構造の実施の形態は、遮音キャップ３のダクト部３ａによってスピーカ２後面からの音圧を筐体１の外部に放出するため、スピーカ２には背圧がかからずスピーカ２の振動板の動きはスムーズになり、ダイナミックレンジの幅が狭くなったり、音の歪みが出るという不具合を防止することができる。
また、本発明によるスピーカの取り付け構造の実施の形態は、ダクト部３ａが片側解放型の共鳴管として動作するため、共鳴音を利用することでスピーカ２を図５に示した従来技術に比べてより広帯域で発音させることが可能になる。
一方、遮音キャップ３のダクト部３ａを筐体１内に延在させた実施の形態を説明したが、例えば、このダクト部内に他の部品を配置することも可能である。図４は、このようにダクト部５ａ内にホイップアンテナ６を配置した図１に示した遮音キャップの他の実施の形態を示す図である。
【００１５】
図４に示すように、遮音キャップの他の実施の形態は、図１に示した遮音キャップと同様に、ゴム製のダクト状の遮音部５ｂとダクト部５ａとを設け、このダクト部５ａのダクト状に延在する管の途中に孔５ｃを開口することで、ホイップアンテナ６の収納場所として兼用している。このような遮音キャップ５は、ホイップアンテナ６を筐体１内に完全に収納した状態、または完全に伸ばした状態のいずれかの状態による、ダクト部５ａの孔５ｃから空気漏れが起こらない共鳴管動作が保証される状態で使用する。このような遮音キャップの他の実施の形態によると、図１に示した遮音キャップと同様の効果を得ることができるとともに、筐体１内の配置スペースをより有効活用することができる。
【００１６】
以上、本発明によるスピーカの取り付け構造の実施の形態を詳細に説明したが、本発明は前述した実施の形態に限定されるものではなく、その要旨を逸脱しない範囲で変更可能である。
例えば、本発明によるスピーカの取り付け構造を携帯電話機に採用した実施の形態を説明したが、これに限定されるものではなく、ＰＨＳ電話機、携帯用無線機などの電子機器にも適用可能である。
【００１７】
【発明の効果】
このように本発明によるスピーカの取り付け構造によれば、スピーカの後面が遮音キャップの遮音部により遮蔽されているため、このスピーカの後面から放出した音響振動が筐体内部の回路部品に廻り込む逆相音がなくなり、スピーカの鳴音時に逆相音により回路動作が異常をきたすことを防止できる。
また、本発明によるスピーカの取り付け構造によれば、遮音キャップの遮音部から延在するダクト部の共鳴管効果により、スピーカの発音帯域がより低音域まで延びるとともに、スピーカによる音声及び着信音（着信メロディ）の再生音がより音楽性豊かなものとなる。
【図面の簡単な説明】
【図１】本発明によるスピーカ取り付け構造の実施の形態を示す図。
【図２】図１に示したＡ−Ａ線の断面を示す断面図。
【図３】図１に示したスピーカ取り付け構造により筐体の外部に放射される音の成分を合成した周波数特性を示す特性図。
【図４】図１に示した遮音キャップの他の実施の形態を示す図。
【図５】携帯電話機に採用した従来のスピーカ取り付け構造を示す図。
【符号の説明】
１    筐体
１ａ  保持リブ
１ｂ  ガイド部
１ｃ  放出穴
１ｄ  拡声穴
２    スピーカ
３    遮音キャップ
３ａ  ダクト部
３ｂ  遮音部
４    回路部品
【図１】
0003661083.tif 000002
【図２】
0003661083.tif 000003
【図３】
0003661083.tif 000004
【図４】
0003661083.tif 000005
【図５】
0003661083.tif 000006